(57)【要約】【課題】薄型の表示装置を提供することを課題とする。【解決手段】複数の蛍光灯が配列された表示パネル（１０１）と、前記複数の蛍光灯に電圧を供給するインバータ（１０２）とを有し、前記インバータ（１０２）は、前記表示パネル（１０１）と同一平面上に設けられることを特徴とする表示装置が提供される。前記表示パネル（１０１）及び前記インバータ（１０２）は、別個に構成され、結線により接続されている。【選択図】図２
2010277933.tif 000002
【特許請求の範囲】
【請求項１】
複数の蛍光灯が配列された表示パネルと、
前記複数の蛍光灯に電圧を供給するインバータとを有し、
前記インバータは、前記表示パネルと同一平面上に設けられることを特徴とする表示装置。
【請求項２】
前記表示パネル及び前記インバータは、別個に構成され、結線により接続されていることを特徴とする請求項１記載の表示装置。
【請求項３】
さらに、少なくとも２個のスピーカを有し、
前記インバータは、前記少なくとも２個のスピーカの間に設けられることを特徴とする請求項１又は２記載の表示装置。
【請求項４】
さらに、前記表示パネルを支持するための支持部を有し、
前記インバータは、前記支持部内の配線を介して前記表示パネル内の蛍光灯に接続されることを特徴とする請求項１〜３のいずれか１項に記載の表示装置。
【請求項５】
前記表示パネルは、液晶表示パネルであることを特徴とする請求項１〜４のいずれか１項に記載の表示装置。
【発明の詳細な説明】
【技術分野】
【０００１】
本発明は、表示装置に関する。
【背景技術】
【０００２】
図９は、液晶表示装置の構成例を示す図である。液晶表示パネル９０１は、複数の蛍光灯９０２を有する。インバータ９０３は、バランサ９０４を有する。例えば、４２インチの液晶表示パネル９０１の場合、液晶表示装置は２０個の蛍光灯９０２及び合計４０個のバランサ９０４を有する。蛍光灯９０２は、インバータ９０３から電源の供給を受けて点灯するバックライトである。インバータ９０３は、直流電圧を交流電圧に変換する。バランサ９０４は、複数の蛍光灯９０２に同じ電流を流すための変圧器である。
【０００３】
図１０は、図９の液晶表示装置の側面図である。インバータ９０３は、液晶表示パネル９０１の裏側に設けられる。例えば、液晶表示パネル９０１は、蛍光灯９０２の他、保護フィルム１０１１、液晶１０１２、偏向板１０１３、プリズムシート１０１４及び拡散板１０１５を有する。液晶表示パネル９０１の厚さＬ１１は約４０ｍｍ、インバータ９０３及び樹脂パネル１０１６の合計の厚さＬ１２は約４０ｍｍである。液晶表示装置は、液晶表示パネル９０１及びインバータ９０３が表裏に重ねられているので、厚さがＬ１１＋Ｌ１２＝８０ｍｍである。
【０００４】
インバータ９０３は、変圧器を小型化にするため、高周波数の交流電圧を出力する。交流電圧が高周波数である場合、蛍光灯９０２の浮遊容量の影響が大きくなるため、インバータ９０３と蛍光灯９０２との間の配線距離を短くする必要がある。そのため、インバータ９０３は、液晶表示パネル９０１の裏面に設けられる。その場合、液晶表示装置の厚さは、液晶表示パネル９０１及びインバータ９０３を含めた合計の厚さになるため、薄くすることが困難である。
【０００５】
また、直流入力に対して所定の周波数(f)で極性切り替えを行うことにより、前記所定の周波数(f)の低周波駆動電圧を出力する極性切換回路と、前記極性切換回路の出力回線に一端が接続された複数の蛍光灯と、前記複数の蛍光灯の他端にそれぞれ接続され、各蛍光灯に等しい電流を流すための、トランジスタを含む定電流回路からなる均流回路とを備える蛍光灯の点灯装置が知られている（例えば、特許文献１参照）。
【先行技術文献】
【特許文献】
【０００６】
【特許文献１】国際公開第ＷＯ２００７／０５５２８９号パンフレット
【発明の概要】
【発明が解決しようとする課題】
【０００７】
本発明の目的は、薄型の表示装置を提供することである。
【課題を解決するための手段】
【０００８】
本発明の表示装置は、複数の蛍光灯が配列された表示パネルと、前記複数の蛍光灯に電圧を供給するインバータとを有し、前記インバータは、前記表示パネルと同一平面上に設けられることを特徴とする。
【発明の効果】
【０００９】
表示パネルと同一平面上にインバータを設けることにより、表示装置を薄型化することができる。
【図面の簡単な説明】
【００１０】
【図１】本発明の実施形態による液晶表示装置の構成例を示す図である。
【図２】本実施形態による液晶表示装置の正面図及び左側面図である。
【図３】本実施形態による液晶表示装置の他の構成例の正面図及び左側面図である。
【図４】本実施形態による液晶表示装置の他の構成例の正面図及び左側面図である。
【図５】本実施形態による液晶表示装置の他の構成例の側面図である。
【図６】本実施形態による液晶表示装置の他の構成例の正面図である。
【図７】本実施形態による液晶表示装置の構成例を示す回路図である。
【図８】図７の液晶表示装置の電圧波形を示す図である。
【図９】液晶表示装置の構成例を示す図である。
【図１０】図９の液晶表示装置の側面図である。
【発明を実施するための形態】
【００１１】
図１は、本発明の実施形態による液晶表示装置の構成例を示す図である。液晶表示装置は、例えば液晶テレビ装置であり、液晶表示パネル１０１及びインバータ１０２を有する。液晶表示パネル１０１は、複数の蛍光灯１０３が配列されている。例えば、４２インチの液晶表示パネル１０１は、２０個の蛍光灯１０３を有する。蛍光灯１０３は、インバータ１０２から交流電圧の供給を受けて点灯するバックライトであり、例えば、冷陰極管（Cold Cathode Fluorescent Lamp：ＣＣＦＬ）又は熱陰極管（Hot Cathode Fluorescent Lamp：ＨＣＦＬ）である。液晶表示パネル１０１は、図１０と同様に、蛍光灯１０３の他、保護フィルム１０１１、液晶１０１２、偏向板１０１３、プリズムシート１０１４及び拡散板１０１５を有する。
【００１２】
インバータ１０２は、直流電圧を交流電圧に変換し、後述する図７の構成により、低周波数の交流電圧を出力することができる。その場合、蛍光灯１０３の浮遊容量の影響が小さくなる。また、蛍光灯１０３の浮遊容量の影響を小さくすることができるので、インバータ１０２と蛍光灯１０３との間の配線距離を長くすることができる。そのため、インバータ１０２は、液晶表示パネル１０１と同一平面上に設けることができる。
【００１３】
図２は、本実施形態による液晶表示装置の正面図及び左側面図である。液晶表示装置は、液晶表示パネル１０１、インバータ１０２及び少なくとも２個のスピーカ２０１を有する。液晶表示パネル１０１にテレビ画像を表示し、スピーカ２０１からテレビ音声を発音させることができる。インバータ１０２及びスピーカ２０１は、液晶表示パネル１０１の下に設けられ、かつ液晶表示パネル１０１と同一平面上に設けられる。液晶表示パネル１０１及びインバータ１０２は、別個に構成され、結線により接続されている。インバータ１０２は、少なくとも２個のスピーカ２０１の間に設けられる。液晶表示パネル１０１の厚さは約４０ｍｍ、インバータ１０２及びスピーカ２０１の厚さは約４０ｍｍである。したがって、液晶表示装置の厚さＬ１は約４０ｍｍになり、図１０の液晶表示装置の厚さ（８０ｍｍ）の約半分にまで薄型化することができる。
【００１４】
また、インバータ１０２と液晶表示パネル１０１との間の配線距離を長くすることができるので、インバータ１０２のロケーションフリーを実現することができる。
【００１５】
図３は、本実施形態による液晶表示装置の他の構成例の正面図及び左側面図である。インバータ１０２の基板及び直流電源３０２の基板は、別個に設けられる。インバータ１０２の基板及び直流電源３０２の基板は、配線により接続される。直流電源３０２は、直流電圧をインバータ１０２に出力する。インバータ１０２は、直流電源３０２から入力した直流電圧を交流電圧に変換し、交流電圧を複数の蛍光灯１０３に供給する。インバータ１０２及び直流電源３０２は、液晶表示パネル１０１と同一平面上に設けることができる。なお、直流電源３０２は、液晶表示パネル１０１の裏側に設けてもよい。
【００１６】
図４は、本実施形態による液晶表示装置の他の構成例の正面図及び左側面図である。インバータ１０２は、直流電源と同一の基板上に設けられる。この場合も、インバータ１０２は、液晶表示パネル１０１と同一平面上に設けることができる。
【００１７】
図５は、本実施形態による液晶表示装置の他の構成例の側面図である。液晶表示パネル１０１は壁５０２に取り付けることができ、液晶表示装置は壁掛テレビ装置として利用することができる。セットボックス５０１は、インバータ１０２を有し、床の上などに置くことができる。インバータ１０２は、配線を介して、液晶表示パネル１０１内の蛍光灯１０３に電圧を供給することができる。インバータ１０２の置き方は、自由自在になる。液晶表示パネル１０１の厚さＬ１は約４０ｍｍであり、液晶表示パネル１０１の薄型化及び軽量化を実現することができる。また、インバータ１０２は、液晶表示パネル１０１と一体に設けられるのではなく、セットボックス５０１内に設けられる。これにより、液晶表示パネル１０１の背面側の発熱量が極度に少なくなるので、液晶表示パネル１０１を壁５０２内に埋め込むこともできる。
【００１８】
図６は、本実施形態による液晶表示装置の他の構成例の正面図である。液晶表示装置は、液晶表示パネル１０１、支持部６０１及び台座６０２を有する。支持部６０１は、台座６０２に対して、液晶表示パネル１０１を支持するためのものである。インバータ１０２は、台座６０２の中に収容され、支持部６０１内の配線を介して液晶表示パネル１０１内の蛍光灯１０３に接続される。
【００１９】
図７は本実施形態による液晶表示装置の構成例を示す回路図であり、図８は図７の液晶表示装置の電圧波形を示す図である。液晶表示パネル１０１は、複数の蛍光灯１０３、シャーシ７０５及び小規模のバランサ７０６を有する。シャーシ７０５は、グランド電位ノードに接続されている。インバータ１０２は、ブリッジ回路７０１、変圧器７０２、整流回路７０３、及びブリッジ回路７０４を有する。
【００２０】
直流電源３０２は、直流電圧Ｓ１を出力する。直流電源３０２の出力線の一方は、グランド電位ノードに接続される。ブリッジ回路７０１は、トランジスタ及び容量を有し、直流電圧Ｓ１を交流電圧Ｓ２に変換する。変圧器７０２は、交流電圧Ｓ２を昇圧し、交流電圧Ｓ３を出力する。交流電圧Ｓ２の周波数を高くすることにより、変圧器７０２を小型にすることができる。整流回路７０３は、ダイオード及び容量を有し、交流電圧Ｓ３を整流及び昇圧し、電圧Ｓ４を出力する。ブリッジ回路７０４は、整流された電圧Ｓ４の正負の極性を交互に切り替え、低周波数の交流電圧Ｓ５を複数の蛍光灯１０３にバランサ７０６を介して並列に出力する。小規模のバランサ７０６は、抵抗により構成され、抵抗値を調整することにより、複数の蛍光灯１０３に均等な電流を流すことができる。バランサ７０６を変圧器でなく、抵抗で構成することにより、バランサ７０６を小型化することができる。また、バランサ７０６をインバータ１０２から削除することができるので、インバータ１０２を小型化し、インバータ１０２のコストを低減することができる。
【００２１】
本実施形態によれば、低周波数の交流電圧Ｓ５により複数の蛍光灯１０３を点灯させることができる。低周波数の電圧で蛍光灯１０３を点灯させることにより、蛍光灯１０３及びシャーシ（グランド電位ノード）７０５との間に発生する浮遊容量の影響を低減することができる。これにより、液晶表示パネル１０１とインバータ１０２との間の配線距離を長くすることができる。
【００２２】
液晶表示装置は、液晶表示パネル１０１とインバータ１０２との間の配線距離を長くすることができるので、液晶表示パネル１０１と同一平面上にインバータ１０２を設けることができる。これにより、液晶表示装置を薄型化することができる。また、低周波数の電圧で蛍光灯１０３を点灯させることにより、損失が小さくなり、発熱量を小さくすることができ、放熱板が不要になる。本実施形態は、特に、蛍光灯１０３の数が多い４０インチ以上の大型の液晶表示装置においてメリットが大きい。
【００２３】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００２４】
１０１  液晶表示パネル
１０２  インバータ
１０３  蛍光灯
２０１  スピーカ
【図１】
2010277933.tif 000003
【図２】
2010277933.tif 000004
【図３】
2010277933.tif 000005
【図４】
2010277933.tif 000006
【図５】
2010277933.tif 000007
【図６】
2010277933.tif 000008
【図７】
2010277933.tif 000009
【図８】
2010277933.tif 000010
【図９】
2010277933.tif 000011
【図１０】
2010277933.tif 000012